(57)【要約】【課題】アダプティブアレイ特性の向上を図ったアダプティブアレイ無線通信装置、アンテナ相関表示方法、アンテナ相関調整方法、アンテナ相関表示プログラム、およびアンテナ相関調整プログラムを提供する。【解決手段】アダプティブアレイ端末において、２本のアンテナＡＮＴ＃１，ＡＮＴ＃２の少なくとも一方は可動式アンテナである。２本のアンテナのそれぞれの受信信号の相関値が、端末の表示部６上に表示される。これにより、ユーザは、２本のアンテナの受信信号の相関値が小さくなるようアンテナ角度を調整することができる。または、端末の制御部は、２本のアンテナのアンテナ相関値がしきい値以下となるようアンテナ角度を自動的に調整する。【選択図】        図１
2004254111.tif 000002
【特許請求の範囲】
【請求項１】
複数のアンテナを有するアダプティブアレイ無線通信装置であって、
前記複数のアンテナのそれぞれで受信した複数系列の信号間の相関値を推定する推定手段と、
前記推定された前記複数系列の信号間の相関値を表示する表示手段と、
ユーザの手動により、前記複数系列の信号間の相関値を変化させるためのアンテナ相関調整手段とを備えた、アダプティブアレイ無線通信装置。
【請求項２】
複数のアンテナを有するアダプティブアレイ無線通信装置であって、
前記複数のアンテナのそれぞれで受信した複数系列の信号間の相関値を推定する推定手段と、
前記推定された相関値が小さくなるように前記複数系列の信号間の相関値を変化させるアンテナ相関調整手段とを備えた、アダプティブアレイ無線通信装置。
【請求項３】
複数のアンテナを有するアダプティブアレイ無線通信装置におけるアンテナ相関表示方法であって、
前記複数のアンテナのそれぞれで受信した複数系列の信号間の相関値を推定するステップと、
前記推定された前記複数系列の信号間の相関値を表示するステップとを備えた、アンテナ相関表示方法。
【請求項４】
複数のアンテナを有するアダプティブアレイ無線通信装置におけるアンテナ相関調整方法であって、
前記複数のアンテナのそれぞれで受信した複数系列の信号間の相関値を推定するステップと、
前記推定された相関値が小さくなるように前記複数系列の信号間の相関値を変化させるステップとを備えた、アンテナ相関調整方法。
【請求項５】
複数のアンテナを有するアダプティブアレイ無線通信装置におけるアンテナ相関表示プログラムであって、コンピュータに、
前記複数のアンテナのそれぞれで受信した複数系列の信号間の相関値を推定するステップと、
前記推定された前記複数系列の信号間の相関値を表示するステップとを実行させる、アンテナ相関表示プログラム。
【請求項６】
前記表示ステップは、前記複数系列の信号間の相関値を表示する、請求項５に記載のアンテナ相関表示プログラム。
【請求項７】
前記表示ステップは、前記複数系列の信号間の相関値の大きさの程度を表示する、請求項５に記載のアンテナ相関表示プログラム。
【請求項８】
前記表示ステップは、表示内容として、前記複数系列の信号間の相関値と、前記相関値の大きさの程度とを選択的に表示可能であり、
ユーザの事前の指定に応じて前記表示ステップによる表示内容を決定するステップをさらにコンピュータに実行させる、請求項５に記載のアンテナ相関表示プログラム。
【請求項９】
前記表示ステップは、表示内容として、前記複数系列の信号間の相関値と、前記相関値の大きさの程度とを選択的に表示可能であり、
前記表示ステップによる表示内容を定期的に順次切替えるステップをさらにコンピュータに実行させる、請求項５に記載のアンテナ相関表示プログラム。
【請求項１０】
前記推定ステップおよび前記表示ステップを自動的に起動するステップをさらにコンピュータに実行させる、請求項５から９のいずれかに記載のアンテナ相関表示プログラム。
【請求項１１】
前記推定ステップおよび前記表示ステップをユーザの指示に応じて起動するステップをさらにコンピュータに実行させる、請求項５から９のいずれかに記載のアンテナ相関表示プログラム。
【請求項１２】
複数のアンテナを有するアダプティブアレイ無線通信装置におけるアンテナ相関調整プログラムであって、コンピュータに、
前記複数のアンテナのそれぞれで受信した複数系列の信号間の相関値を推定するステップと、
前記推定された相関値が小さくなるように前記複数系列の信号間の相関値を変化させるステップとを実行させる、アンテナ相関調整プログラム。
【請求項１３】
前記相関値変化ステップは、
前記相関値が所定のしきい値以下になるように前記複数のアンテナ相互の角度を変更するステップを含む、請求項１２に記載のアンテナ相関調整プログラム。
【請求項１４】
前記推定ステップおよび前記相関値変化ステップを自動的に起動するステップをさらにコンピュータに実行させる、請求項１２または１３に記載のアンテナ相関調整プログラム。
【請求項１５】
前記推定ステップおよび前記相関値変化ステップをユーザの指示に応じて起動するステップをさらにコンピュータに実行させる、請求項１２または１３に記載のアンテナ相関調整プログラム。
【発明の詳細な説明】
【０００１】
【発明の属する技術分野】
この発明は、アダプティブアレイ無線通信装置、アンテナ相関表示方法、アンテナ相関調整方法、アンテナ相関表示プログラム、およびアンテナ相関調整プログラムに関し、特に、複数のアンテナを用いるアダプティブアレイ機能を搭載した移動端末装置、およびそのような移動端末装置における、アンテナ相関表示方法、アンテナ相関調整方法、アンテナ相関表示プログラム、およびアンテナ相関調整プログラムに関する。
【０００２】
【従来の技術】
従来、たとえばＰＨＳ（Ｐｅｒｓｏｎａｌ  Ｈａｎｄｙｐｈｏｎｅ  Ｓｙｓｔｅｍ）のような移動体通信システムにおいては、移動端末装置（以下、端末）と、無線基地装置（以下、基地局）との間で無線通信が行なわれる。
【０００３】
従来の端末は、通常、１本のアンテナを備えており、当該アンテナで受信された無線周波数（ＲＦ）の信号は、ＲＦ受信回路において、増幅、周波数変換などの各種信号処理を受ける。
【０００４】
そのようなＲＦ受信回路の信号処理の１つとして、受信信号の受信電力レベル（以下、受信レベル）の測定がある。ＲＦ受信回路で測定された当該アンテナでの受信信号の受信レベルは、端末のディスプレイ上においてユーザに表示（通知）され、ユーザは、当該端末の電波環境を推定することが可能となる。
【０００５】
一方、２本のアンテナおよびそれぞれに対応するＲＦ受信回路を備え、受信レベルの大きい方のアンテナを受信アンテナとして選択する選択ダイバーシチ受信を行なうダイバーシチ端末が実現されている（例えば、特許文献１参照）。
【０００６】
このダイバーシチ端末は、上述のように２本のアンテナを備えているが、そのいずれか一方からの１系統の受信信号を選択して端末内部に取り込み、復調のための信号処理を施すものであり、ユーザには、復調のために選択された１系統の受信信号の受信レベルが表示されるだけであった。
【０００７】
一方、基地局では、特定のユーザからの信号を複数のアンテナを用いて受信し、受信した複数系列の信号に周知のアダプティブアレイ処理を施すことにより当該ユーザからの受信信号を分離抽出するアダプティブアレイ基地局が実用化されている。
【０００８】
ここで、アダプティブアレイ処理とは、端末からの受信信号に基づいて、基地局の複数のアンテナごとの受信係数（ウェイト）からなるウェイトベクトルを推定して適応制御することによって、特定の端末からの信号を正確に抽出（合成）する周知の処理である。アダプティブアレイ処理は周知であるため、ここでは詳細な説明は行なわない。
【０００９】
そして、端末においてもこのようなアダプティブアレイ機能を搭載したアダプティブアレイ端末が開発されつつある。このようなアダプティブアレイ端末では、複数の（例えば２本の）アンテナおよび対応する複数の（２個の）ＲＦ受信回路が設けられ、それぞれのアンテナで受信した複数系列の信号が端末内部に取り込まれ、アダプティブアレイ処理が施されることになる。
【００１０】
アダプティブアレイ処理の特性として、複数のアンテナ間での受信信号の相関（値）が小さいほど、受信特性が良好になることが知られている。このような相関（値）を以下、アンテナ相関（値）と称する。
【００１１】
すなわち、周知のアダプティブアレイ演算処理によって、たとえば２本アンテナからの受信信号から所望信号を分離抽出するためには、２本のアンテナでそれぞれ異なる信号を受信（相関値が小さい）しなければならず、たとえば２本のアンテナで同一の信号を受信した場合のようにアンテナ間の相関値が大きければ（同一の場合は相関値は１）、アダプティブアレイ演算処理によって受信信号から所望信号を分離抽出することが困難になる。
【００１２】
一般的に、アンテナ相関値は、複数のアンテナ相互間の距離、アンテナごとの偏波面などの要因によって変化する。たとえば、各アンテナで受信する信号は、伝搬路でのフェージングの影響を受けているが、複数のアンテナの相互の間隔が離れている方がアンテナごとのフェージングの影響が異なるため、アンテナ相関値は低くなりやすい。また、同様に、アンテナごとの偏波面が異なるほどアンテナ相関値は低くなりやすい。
【００１３】
そこで、アダプティブアレイ端末の受信性能を向上させるために、何らかの方法でこのような複数のアンテナ間の受信信号のアンテナ相関値を調整できることが望まれる。
【００１４】
【特許文献１】
特開平８−９７７５９号公報
【００１５】
【発明が解決しようとする課題】
ここで、従来の端末の一例として、上述のダイバーシチ端末のように２本のアンテナを有し、そのうちの一方のアンテナが端末内に格納された固定アンテナであり、他方のアンテナが端末外部に取り付けされ、前後方向に倒すことにより角度を調整できる可動アンテナである端末が実現されている。
【００１６】
しかしながら、従来、端末のユーザに対する受信信号に関する表示としては、上述のように端末のアンテナ数に関係なく、端末内に取り込まれる１系統の受信信号の受信レベルが表示されるだけであり、アンテナ相関値が算出されたり、表示されたりすることはなかった。
【００１７】
このため、従来の複数（２本）アンテナの端末では、たとえ可動アンテナを採用しておりアンテナの角度調整が可能であっても、ユーザは、複数のアンテナ間のアンテナ相関値を知ることはできなかった。
【００１８】
したがって、複数アンテナを備えたアダプティブアレイ端末においても同様に、アンテナ間のアンテナ相関値をユーザは知ることができず、このため、たとえアンテナが可動式のものであってもユーザはアンテナ相関値が小さくなるようにアンテナの角度を調整することはできなかった。
【００１９】
また、可動アンテナを採用した従来の複数アンテナの端末においては、ユーザの手動による可動アンテナの角度調整は、精度の点で十分とは言えなかった。
【００２０】
それゆえに、この発明の目的は、複数アンテナを備えたアダプティブアレイ無線通信装置においても、ユーザが容易にアンテナ相関値を調整することができるアダプティブアレイ無線通信装置、アンテナ相関表示方法、およびアンテナ相関表示プログラムを提供することである。
【００２１】
この発明の他の目的は、複数アンテナを備えたアダプティブアレイ無線通信装置においても、アンテナ相関値を自動的に高精度に調整することができるアダプティブアレイ無線通信装置、アンテナ相関調整方法、およびアンテナ相関調整プログラムを提供することである。
【００２２】
【課題を解決するための手段】
この発明の１つの局面によれば、複数のアンテナを有するアダプティブアレイ無線通信装置は、推定手段と、表示手段と、アンテナ相関調整手段とを備える。推定手段は、複数のアンテナのそれぞれで受信した複数系列の信号間の相関値を推定する。表示手段は、推定された複数系列の信号間の相関値を表示する。アンテナ相関調整手段は、ユーザの手動により、複数系列の信号間の相関値を変化させる。
【００２３】
好ましくは、表示手段は、複数系列の信号間の相関値を表示する。
好ましくは、表示手段は、複数系列の信号間の相関値の大きさの程度を表示する。
【００２４】
好ましくは、表示手段は、表示内容として、複数系列の信号間の相関値と、相関値の大きさの程度とを選択的に表示可能であり、アダプティブアレイ無線通信装置は、ユーザの事前の指定に応じて表示手段による表示内容を決定する表示内容指定手段をさらに備える。
【００２５】
好ましくは、表示手段は、表示内容として、複数系列の信号間の相関値と、相関値の大きさの程度とを選択的に表示可能であり、アダプティブアレイ無線通信装置は、表示手段による表示内容を定期的に順次切替える表示内容切替手段をさらに備える。
【００２６】
好ましくは、アダプティブアレイ無線通信装置は、推定手段および表示手段を自動的に起動する起動手段をさらに備える。
【００２７】
好ましくは、アダプティブアレイ無線通信装置は、推定手段および表示手段をユーザの指示に応じて起動する起動手段をさらに備える。
【００２８】
この発明の他の局面によれば、複数のアンテナを有するアダプティブアレイ無線通信装置は、推定手段と、アンテナ相関調整手段とを備える。推定手段は、複数のアンテナのそれぞれで受信した複数系列の信号間の相関値を推定する。アンテナ相関調整手段は、推定された相関値が小さくなるように複数系列の信号間の相関値を変化させる。
【００２９】
好ましくは、アンテナ相関調整手段は、複数のアンテナ相互の角度を変更するアンテナ駆動手段と、相関値が所定のしきい値以下になるように複数のアンテナ相互の角度を変更するようにアンテナ駆動手段を制御する制御手段とを含む。
【００３０】
好ましくは、アダプティブアレイ無線通信装置は、推定手段およびアンテナ相関調整手段を自動的に起動する起動手段をさらに備える。
【００３１】
好ましくは、アダプティブアレイ無線通信装置は、推定手段およびアンテナ相関調整手段をユーザの指示に応じて起動する起動手段をさらに備える。
【００３２】
この発明のさらに他の局面によれば、複数のアンテナを有するアダプティブアレイ無線通信装置におけるアンテナ相関表示方法は、複数のアンテナのそれぞれで受信した複数系列の信号間の相関値を推定するステップと、推定された複数系列の信号間の相関値を表示するステップとを備える。
【００３３】
好ましくは、表示ステップは、複数系列の信号間の相関値を表示する。
好ましくは、表示ステップは、複数系列の信号間の相関値の大きさの程度を表示する。
【００３４】
好ましくは、表示ステップは、表示内容として、複数系列の信号間の相関値と、相関値の大きさの程度とを選択的に表示可能であり、アンテナ相関表示方法は、ユーザの事前の指定に応じて表示ステップによる表示内容を決定するステップをさらに備える。
【００３５】
好ましくは、表示ステップは、表示内容として、複数系列の信号間の相関値と、相関値の大きさの程度とを選択的に表示可能であり、アンテナ相関表示方法は、表示ステップによる表示内容を定期的に順次切替えるステップをさらに備える。
【００３６】
好ましくは、アンテナ相関表示方法は、推定ステップおよび表示ステップを自動的に起動するステップをさらに備える。
【００３７】
好ましくは、アンテナ相関表示方法は、推定ステップおよび表示ステップをユーザの指示に応じて起動するステップをさらに備える。
【００３８】
この発明のさらに他の局面によれば、複数のアンテナを有するアダプティブアレイ無線通信装置におけるアンテナ相関調整方法は、複数のアンテナのそれぞれで受信した複数系列の信号間の相関値を推定するステップと、推定された相関値が小さくなるように複数系列の信号間の相関値を変化させるステップとを備える。
【００３９】
好ましくは、相関値変化ステップは、相関値が所定のしきい値以下になるように複数のアンテナ相互の角度を変更するステップを含む。
【００４０】
好ましくは、アンテナ相関調整方法は、推定ステップおよび相関値変化ステップを自動的に起動するステップをさらに備える。
【００４１】
好ましくは、アンテナ相関調整方法は、推定ステップおよび相関値変化ステップをユーザの指示に応じて起動するステップをさらに備える。
【００４２】
この発明のさらに他の局面によれば、複数のアンテナを有するアダプティブアレイ無線通信装置におけるアンテナ相関表示プログラムは、コンピュータに、複数のアンテナのそれぞれで受信した複数系列の信号間の相関値を推定するステップと、推定された複数系列の信号間の相関値を表示するステップとを実行させる。
【００４３】
好ましくは、表示ステップは、複数系列の信号間の相関値を表示する。
好ましくは、表示ステップは、複数系列の信号間の相関値の大きさの程度を表示する。
【００４４】
好ましくは、表示ステップは、表示内容として、複数系列の信号間の相関値と、相関値の大きさの程度とを選択的に表示可能であり、アンテナ相関表示プログラムは、ユーザの事前の指定に応じて表示ステップによる表示内容を決定するステップをさらにコンピュータに実行させる。
【００４５】
好ましくは、表示ステップは、表示内容として、複数系列の信号間の相関値と、相関値の大きさの程度とを選択的に表示可能であり、アンテナ相関表示プログラムは、表示ステップによる表示内容を定期的に順次切替えるステップをさらにコンピュータに実行させる。
【００４６】
好ましくは、アンテナ相関表示プログラムは、推定ステップおよび表示ステップを自動的に起動するステップをさらにコンピュータに実行させる。
【００４７】
好ましくは、アンテナ相関表示プログラムは、推定ステップおよび表示ステップをユーザの指示に応じて起動するステップをさらにコンピュータに実行させる。
【００４８】
この発明のさらに他の局面によれば、複数のアンテナを有するアダプティブアレイ無線通信装置におけるアンテナ相関調整プログラムは、コンピュータに、複数のアンテナのそれぞれで受信した複数系列の信号間の相関値を推定するステップと、推定された相関値が小さくなるように複数系列の信号間の相関値を変化させるステップと実行させる。
【００４９】
好ましくは、相関値変化ステップは、相関値が所定のしきい値以下になるように複数のアンテナ相互の角度を変更するステップを含む。
【００５０】
好ましくは、アンテナ相関調整プログラムは、推定ステップおよび相関値変化ステップを自動的に起動するステップをさらにコンピュータに実行させる。
【００５１】
好ましくは、アンテナ相関調整プログラムは、推定ステップおよび相関値変化ステップをユーザの指示に応じて起動するステップをさらにコンピュータに実行させる。
【００５２】
したがって、この発明によれば、複数アンテナを備えたアダプティブアレイ無線通信装置において、複数のアンテナのそれぞれで受信した複数系列の信号間の相関値をユーザに表示することができるので、ユーザは、その表示を目視しながらたとえば可動式アンテナの角度を調整することにより、アンテナ間の相関値が小さくなるよう受信レベルの調整を行なうことが可能となる。これにより、アダプティブアレイ無線通信装置におけるアダプティブアレイ処理の受信特性をより向上させることが可能となる。
【００５３】
さらに、この発明によれば、複数アンテナを備えたアダプティブアレイ無線通信装置において、複数のアンテナのそれぞれで受信した複数系列の信号間の相関値を算出して、その相関値が小さくなるよう、たとえば可動式アンテナの角度を自動的に調整することにより、より高精度にアンテナ相関値の調整が可能となる。これにより、アダプティブアレイ無線通信装置におけるアダプティブアレイ処理の受信特性をより一層向上させることが可能となる。
【００５４】
【発明の実施の形態】
以下、この発明の実施の形態を図面を参照して詳しく説明する。なお、図中同一または相当部分には同一符号を付してその説明は繰り返さない。
【００５５】
［実施の形態１］
図１は、この発明の実施の形態１によるアダプティブアレイ端末の構成を示す機能ブロック図である。
【００５６】
図示しない基地局からの下り無線信号は、アンテナＡＮＴ＃１，ＡＮＴ＃２でそれぞれ受信され、無線周波数のＲＦ信号として、対応するＲＦ受信回路１，２に与えられる。
【００５７】
ＲＦ受信回路１，２の各々においては、受信したＲＦ信号に対し、増幅、周波数変換などの所定のアナログ処理を施した後、信号処理部３およびアンテナ相関推定部８に与える。信号処理部３は、主制御部５の制御下に、ＲＦ受信回路１，２から受信した信号にアダプティブアレイ処理を施し、所望の受信信号を分離抽出する。
【００５８】
すなわち、信号処理部３においては、基地局からの受信信号に基づいて、端末の２本のアンテナＡＮＴ＃１，ＡＮＴ＃２ごとのウェイトからなるウェイトベクトルを推定して適応制御することによって、基地局からの所望信号を正確に抽出（合成）する周知のアダプティブアレイ処理を実行する。
【００５９】
図１の信号処理部３には、受信信号のシンボルごとにこのようなウェイトベクトルを推定する図示しないウェイト制御部が設けられており、このウェイト制御部は、受信信号ベクトルと推定されたウェイトベクトルとの複素乗算和と、既知の参照信号との誤差の２乗を減少させるようウェイトベクトルを収束させる処理、すなわち基地局からの受信指向性を収束させるアダプティブアレイ処理を実行する。
【００６０】
アダプティブアレイ処理では、このようなウェイトベクトルの収束を、時間や信号電波の伝搬路特性の変動に応じて適応的に行ない、受信信号中から干渉成分やノイズを除去し、基地局からの受信信号を抽出することができる。
【００６１】
このようなウェイト制御部では、ウェイト推定アルゴリズムとして、たとえばＲＬＳ（Ｒｅｃｕｒｓｉｖｅ  Ｌｅａｓｔ  Ｓｑｕａｒｅｓ）アルゴリズム、ＬＭＳ（Ｌｅａｓｔ  Ｍｅａｎ  Ｓｑｕａｒｅ）アルゴリズムなどの逐次推定アルゴリズムを使用している。
【００６２】
このようなＲＬＳアルゴリズムやＬＭＳアルゴリズムは、アダプティブアレイ処理の分野では周知の技術であり、たとえば、１９９８年１１月２５日発行の菊間信良著の「アレーアンテナによる適応信号処理」（科学技術出版）、第３５頁〜第４９頁の「第３章  ＭＭＳＥアダプティブアレー」に詳細に説明されているので、ここではアダプティブアレイ処理についての詳細な説明は省略する。
【００６３】
さらに、図１の復調部４は、主制御部５の制御下に、信号処理部３でアダプティブアレイ処理により分離抽出された受信信号に対し復調処理を施し、復調されたビット出力を出力している。また、復調部４は、後述するアンテナ相関値の計算のため、上述の様に一旦復調したビット出力を再変調した信号をアンテナ相関推定部８に与える。
【００６４】
なお、主制御部５は、入力部７を介するユーザの指示に基づき、上述の信号処理部３および復調部４に加えて、後述する表示部６の動作も制御する。
【００６５】
一方、アンテナ相関推定部８は、主制御部５の制御下に、ＲＦ受信回路１，２からの受信信号、および必要に応じて復調部４からの再変調信号に基づいて、アンテナＡＮＴ＃１，ＡＮＴ＃２で受信した信号系列間のアンテナ相関値を推定し、その結果を主制御部５に与える。
【００６６】
ここで、アンテナ相関推定部８におけるアンテナ相関値推定手法の具体例について説明する。以下に、アンテナ相関値推定の代表的な３つの方法について説明するが、この発明に適用されるアンテナ相関値推定手法は、以下に説明する方法に限定されるものではない。
【００６７】
（１）  第１のアンテナ相関値推定方法
この方法は、１スロットの期間中に受信するＩＱ信号の複数のシンボルデータ（たとえば１２０シンボル）からアンテナ相関値を推定する方法である。
【００６８】
すなわち、アンテナＡＮＴ＃１，ＡＮＴ＃２の受信信号をそれぞれＸ１，Ｘ２とすると、アンテナ相関値αは、次式のように求められる。
【００６９】
α＝｜Ｘ１Ｘ２Ｈ｜／｜Ｘ１｜｜Ｘ２｜・・・（１）
ここで、ＡＨは、行列Ａの複素共役転置行列とする。
【００７０】
また、Ｘｊ（ｊ＝１，２）は、アンテナＡＮＴ＃ｊで受信したＩＱ信号の複数の（ｎ個の）シンボルデータを要素とする、（Ｘｊ１，Ｘｊ２，Ｘｊ３，・・・，Ｘｊｎ）で表わされるベクトルである。
【００７１】
（２）  第２のアンテナ相関値推定方法
この方法は、１スロット内で推定した複数の受信応答ベクトルからアンテナ相関値を推定する方法である。
【００７２】
アンテナ相関値の推定方法を説明する前に、受信応答ベクトルの一般的な算出方法について説明する。ここでは、受信信号Ｘから所望信号の受信応答ベクトルｈを推定する場合を例に取り説明する。
【００７３】
受信信号Ｘは次式で表わされるものとする。
Ｘ＝ｈ＊Ｄ＋ｎ・・・（２）
ここで、Ｄは、所望信号の再変調信号（図１の復調部４からアンテナ相関推定部８に与えられる再変調信号が相当）であり、ｎはノイズである。
【００７４】
ここで、上記（２）式の両辺に、所望信号の再変調信号Ｄを乗算し、アンサンブル平均（時間平均）を取ると次式で表わされる。
【００７５】
Ｅ［Ｘ＊Ｄ＊］＝ｈ＊Ｅ［Ｄ＊Ｄ＊］＋Ｅ［ｎ＊Ｄ＊］・・・（３）
ここで、Ｄ＊は、ベクトルＤの各要素の複素共役を取りさらに転置したものである。また、Ｅ［Ｄ＊Ｄ＊］＝１，Ｅ［ｎ＊Ｄ＊］＝０であるため、受信応答ベクトルは、次式で表わされるようになる。
【００７６】
Ｅ［Ｘ＊Ｄ＊］＝ｈ・・・（４）
このように算出された受信応答ベクトルｈに基づいて、アンテナ相関値は次のように求めることができる。
【００７７】
すなわち、アンテナＡＮＴ＃１，ＡＮＴ＃２の受信応答ベクトルをそれぞれｈ１，ｈ２とすると、アンテナ相関値αは、次式のように求められる。
【００７８】
α＝｜ｈ１ｈ２Ｈ｜／｜ｈ１｜｜ｈ２｜・・・（５）
ｈｊ（ｊ＝１，２）は、アンテナＡＮＴ＃ｊで推定した複数の（ｎ個の）受信応答ベクトルを要素とする、（ｈｊ１，ｈｊ２，ｈｊ３，・・・，ｈｊｎ）で表わされるベクトルである。
【００７９】
（３）  第３のアンテナ相関値推定方法
この方法は、複数スロットにわたって各スロットごとの所定場所（たとえば前縁部）で推定した、複数の受信応答ベクトルからアンテナ相関値を推定する方法である。
【００８０】
受信応答ベクトルの算出方法は上述したとおりである。
アンテナＡＮＴ＃１，ＡＮＴ＃２の受信応答ベクトルをそれぞれｈ１，ｈ２とすると、アンテナ相関値αは、次式のように求められる。
【００８１】
α＝｜ｈ１ｈ２Ｈ｜／｜ｈ１｜｜ｈ２｜・・・（６）
ｈｊ（ｊ＝１，２）は、アンテナＡＮＴ＃ｊで推定した複数の（ｎスロットにわたる）受信応答ベクトルを要素とする、（ｈｊ１，ｈｊ２，ｈｊ３，・・・，ｈｊｎ）で表わされるベクトルである。
【００８２】
図１に戻って、主制御部５は、アンテナ相関推定部８から取得したアンテナ相関値を、後述するように種々の表示形式に変換し、表示部６上に所定のタイミングで表示する。
【００８３】
この表示部６は、たとえば発光ダイオード（ＬＥＤ）、液晶表示装置（ＬＣＤ）などの種々の形式の表示装置で構成することができ、たとえばＬＥＤで構成した場合には、その点滅、発光の色などにより、アンテナ相関値を表示し、ＬＣＤで構成した場合には、その表示画面上に表わされる文字、数値などにより、アンテナ相関値を表示する。
【００８４】
図２は、この発明の実施の形態１によるアダプティブアレイ端末のアンテナ相関値の表示方法の例を示す模式図である。
【００８５】
図２の（ａ）は、アダプティブアレイ端末１００の外観の正面図を模式的に示している。図２の（ａ）を参照して、アダプティブアレイ端末１００は、２本のアンテナＡＮＴ＃１，ＡＮＴ＃２を備えており、少なくともそのうちの１本は、たとえば前後方向に倒すことにより他方のアンテナに対する角度の調整が可能な可動式のアンテナであるものとする。
【００８６】
アダプティブアレイ端末１００には、図１の表示部６に相当する表示部がＬＥＤおよび／またはＬＣＤにより実現されているものとする。以下に、これらの表示部を用いたアンテナ相関値の表示態様について説明する。
【００８７】
まず、図２の（ｂ）を参照すると、この発明の実施の形態１による表示方法１の例が示されている。この表示方法１では、２本のアンテナＡＮＴ＃１，ＡＮＴ＃２のアンテナ相関値がアンテナ相関推定部８により算出され、主制御部５の制御下に、アダプティブアレイ端末１００のＬＣＤからなる表示部上に、数値として表示される。
【００８８】
たとえば、図２（ｂ）の例では、ＬＣＤからなる表示部の画像イメージとして、アンテナＡＮＴ＃１の受信信号とアンテナＡＮＴ＃２の受信信号との相関値である０．２という数値が表示されている。
【００８９】
ユーザは、この表示を目視しながら、２本のアンテナの受信信号の相関値がより小さくなるように可動アンテナの角度を手動で調整する。
【００９０】
次に、図２の（ｃ）を参照すると、この発明の実施の形態１による表示方法２の例が示されている。この表示方法２では、２本のアンテナＡＮＴ＃１，ＡＮＴ＃２のアンテナ相関値がアンテナ相関推定部８により算出され、主制御部５の制御下に、アダプティブアレイ端末１００のＬＣＤまたはＬＥＤからなる表示部上に、相関値の大きさの度合いとして表示される。
【００９１】
このような相関値の大きさの度合いは、たとえば、主制御部５において、相関値の大きさを所定のしきい値と対比して大、中、小の３段階に分類することによって、決定することができる。
【００９２】
たとえば、図２（ｃ−１）の例では、ＬＣＤからなる表示部の画像イメージとして、アンテナＡＮＴ＃１の受信信号とアンテナＡＮＴ＃２の受信信号との相関値の大きさの度合いである「小」が表示されている。
【００９３】
また、図２（ｃ−２）の例では、３個のＬＥＤからなる表示部の画像イメージとして、アンテナＡＮＴ＃１の受信信号とアンテナＡＮＴ＃２の受信信号との相関値の大きさの度合いである「小」に対応するＬＥＤを点灯させる。
【００９４】
また、図２（ｃ−３）の例では、１個のＬＥＤからなる表示部の画像イメージとして、アンテナＡＮＴ＃１の受信信号とアンテナＡＮＴ＃２の受信信号との相関値の大きさの度合いである「小」に対応する点滅速度、または色でＬＥＤを点灯させる。
【００９５】
たとえば、相関値の大きさの度合いが「大」の場合は高速でＬＥＤを点滅させ、「中」の場合は低速で点滅させ、「小」の場合は点灯させたままにする。
【００９６】
また、相関値の大きさの度合いが「大」の場合は赤色でＬＥＤを点灯させ、「中」の場合は黄色で点滅させ、「小」の場合は緑色で点灯させる。
【００９７】
ユーザは、これらの表示を目視しながら、２本のアンテナの受信信号の相関値の大きさの度合いが小さくなるように可動アンテナの角度を手動で調整する。
【００９８】
以上のような表示方法１または２の選択は、ユーザが入力部７を操作して事前に指定できるように構成してもよく、また表示方法１または２を定期的に順次切替えていくように構成してもよい。
【００９９】
また、以上のような相関値の判定および表示処理は、アダプティブアレイ端末が自動的に起動してもよく、またユーザが入力部７を操作してそれを契機に起動するように構成してもよい。
【０１００】
図１に示したアダプティブアレイ端末の機能ブロック図の構成は、実際には、図示しないデジタル・シグナル・プロセッサ（ＤＳＰ）によって、図３に示すフロー図に従ってソフトウェアで実行されるものである。このＤＳＰは、図３に示すフロー図の各ステップを備えるプログラムを図示しないメモリから読み出して実行する。このプログラムは、外部からインストールすることができる。
【０１０１】
以下に、図３を参照して、この発明の実施の形態１によるアダプティブアレイ端末の相関値表示動作について説明する。
【０１０２】
まず、ステップＳ１において、タイマによる割込みによって表示に関する動作が自動的に起動されるか、またはユーザによる入力部の操作によって表示に関する動作が起動される。
【０１０３】
次に、ステップＳ２において、事前にユーザによって表示方法（例えば、図２に例示した表示方法１または２のいずれか）が指定されているか否かが判定される。
【０１０４】
特に指定されていなければ、ステップＳ３において、前回の表示方法の次の表示方法で表示する（すなわち、ステップＳ３では、表示方法１〜２を順次インクリメントして表示する）。
【０１０５】
一方、ステップＳ２において、表示方法が事前に指定されていることが判定されると、ステップＳ４に進み、指定された表示方法が図２（ｂ）の表示方法１であるか否かが判定される。
【０１０６】
ステップＳ４において、指定された表示方法が表示方法１であると判定されると、ステップＳ５に進み、図２（ｂ）に示したように、表示方法１によって、アンテナＡＮＴ＃１，ＡＮＴ＃２のそれぞれの受信信号の相関値をそのまま表示する。
【０１０７】
一方、ステップＳ４において、指定された表示方法が表示方法１ではないと判定されると、ステップＳ６に進み、図２（ｃ）に示したように、表示方法２によって、アンテナＡＮＴ＃１，＃２のそれぞれの受信信号の相関値の大きさの度合いを表示する。
【０１０８】
以上のような処理を繰返すことにより、ユーザによる表示方法の指定があれば当該表示方法での表示が実行され、特に指定がなければ、表示方法１〜２が順次繰返されることになる。
【０１０９】
以上のように、この発明の実施の形態１によれば、複数アンテナを備えたアダプティブアレイ端末において、複数のアンテナのそれぞれで受信した複数系列の信号間の相関値をユーザに様々な態様で表示（通知）することができるので、ユーザは、その表示を目視しながら可動式アンテナの角度、すなわちアンテナ相互の角度を調整することにより、アンテナ間の受信信号の相関値が小さくなるよう相関値の調整を行なうことができる。これにより、アダプティブアレイ端末におけるアダプティブアレイ処理の受信特性をより向上させることが可能となる。
【０１１０】
［実施の形態２］
図４は、この発明の実施の形態２によるアダプティブアレイ端末の構成を示す機能ブロック図である。図４に示す機能ブロック図は、以下の点を除いて、図１に示した実施の形態１による機能ブロック図と同じであり、共通する部分については、説明を繰返さない。
【０１１１】
すなわち、図４の機能ブロック図では、図１の表示部６に代えて（または追加して）、アンテナ駆動制御部９が設けられている。また、図１の表示部６を制御する主制御部５に代えて、アンテナ駆動制御部９を制御する主制御部１０が設けられている。
【０１１２】
アンテナ駆動制御部９は、前述したように、アダプティブアレイ端末の２本のアンテナのうち、たとえば前後方向に倒すことにより角度の変更が可能な可動式アンテナの角度調整を、主制御部１０からの制御信号に応じて自動的に駆動制御する。
【０１１３】
主制御部１０は、アンテナ相関推定部８から取得したアンテナ相関値が所定のしきい値以上であることを判定すると、アンテナ相関値がそのしきい値以下になるように２本のアンテナ相互の角度を調整するようアンテナ駆動制御部９を制御する。
【０１１４】
以上のようなアンテナ相関値の判定およびアンテナ駆動制御処理は、アダプティブアレイ端末が自動的に起動してもよく、またユーザが入力部７を操作してそれを契機に起動するように構成してもよい。
【０１１５】
図４に示したアダプティブアレイ端末の機能ブロック図の構成は、実際には、図示しないデジタル・シグナル・プロセッサ（ＤＳＰ）によって、図５に示すフロー図に従ってソフトウェアで実行されるものである。このＤＳＰは、図５に示すフロー図の各ステップを備えるプログラムを図示しないメモリから読み出して実行する。このプログラムは、外部からインストールすることができる。
【０１１６】
以下に、図５を参照して、この発明の実施の形態２によるアダプティブアレイ端末の相関値調整動作について説明する。なお、以下に説明する例では、アダプティブアレイ端末の２本のアンテナは双方とも角度調整可能な可動式アンテナであるものとする。
【０１１７】
まず、ステップＳ１１において、タイマによる割込みによってアンテナ制御に関する動作が自動的に起動されるか、またはユーザによる入力部の操作によってアンテナ制御に関する動作が起動される。
【０１１８】
次に、ステップＳ１２において、アンテナＡＮＴ＃１，ＡＮＴ＃２の受信信号の相関値を算出する。
【０１１９】
次に、ステップＳ１３において、算出されたアンテナ相関値が所定のしきい値以下か否かが判定される。相関値がしきい値以下であることが判定されると処理を終了する。
【０１２０】
一方、相関値が所定のしきい値以下でないことが判定されると、ステップＳ１４において、アンテナＡＮＴ＃１の角度を変更しながら（ＡＮＴ＃２の角度は固定）、それぞれの角度に対応するアンテナ相関値を取得し、角度に対応付けて記憶する。
【０１２１】
ステップＳ１５において、記憶されたアンテナ相関値のうち、しきい値以下となるアンテナ相関値があったか否かが判定される。しきい値以下のアンテナ相関値があったと判定されると、ステップＳ１６に進み、アンテナ相関値が最小となる角度にアンテナＡＮＴ＃１の角度を調整する。そして処理を終了する。
【０１２２】
一方、ステップＳ１５において、しきい値以下となるアンテナ相関値がなかったことが判定されると、ステップＳ１７において、ＡＮＴ＃２の角度をすでに全ての所定の角度に変更したか否かが判定される。そして、未だ変更すべき角度が残っていると判定されると、ステップＳ１８において、アンテナＡＮＴ＃２の角度を所定の１段階分変更する。
【０１２３】
そして、アンテナＡＮＴ＃２の角度を当該角度に固定して、上述のステップＳ１２から１７を繰り返す。ステップＳ１７でアンテナＡＮＴ＃２の角度をすべての所定の角度に変更し終わったことが判定されると、ステップＳ１９において、それまででアンテナ相関値が最小となったアンテナＡＮＴ＃１，ＡＮＴ＃２の角度の組合せに、ＡＮＴ＃１，ＡＮＴ＃２の角度を移動させ、処理を終了させる。
【０１２４】
これにより、２本のアンテナのアンテナ相関値を最小の値に調整することができる。
【０１２５】
以上のように、この発明の実施の形態２によれば、複数アンテナを備えたアダプティブアレイ端末において、複数のアンテナのそれぞれで受信した複数系列の信号間の相関値を算出して、相関値が小さくなるよう、可動式アンテナの角度、すなわちアンテナ相互の角度を自動的に調整することにより、より高精度にアンテナ相関値の調整が可能となる。これにより、アダプティブアレイ無線通信装置におけるアダプティブアレイ処理の受信特性をより一層向上させることが可能となる。
【０１２６】
なお、上述の実施の形態１および２では、アダプティブアレイ端末のアンテナは２本であったが、アダプティブアレイ処理に必要な複数本であればよく、２本に限られない。また、複数本すべてが可動式アンテナである必要はなく、アンテナ相互の角度が調整できれば、可動式アンテナと固定アンテナとが混在していてもよい。
【０１２７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０１２８】
【発明の効果】
以上のように、この発明によれば、複数アンテナを備えたアダプティブアレイ無線通信装置において、複数のアンテナのそれぞれで受信した複数系列の信号間の相関値をユーザに表示することができる。これにより、ユーザは、その相関値表示を目視しながら、たとえば可動式アンテナの角度を調整することにより、アンテナ相関値が小さくなるようアンテナ相関値の調整を行なうことが可能となる。この結果、この発明によればアダプティブアレイ無線通信装置におけるアダプティブアレイ処理の受信特性をより向上させることが可能となる。
【０１２９】
さらに、この発明によれば、複数アンテナを備えたアダプティブアレイ無線通信装置において、複数のアンテナのそれぞれで受信した複数系列の信号間の相関値を算出して、相関値が小さくなるよう、たとえば可動式アンテナの角度を自動的に調整することができる。これにより、より一層高精度にアンテナ相関値の調整が可能となる。この結果、この発明によればアダプティブアレイ無線通信装置におけるアダプティブアレイ処理の受信特性をより一層向上させることが可能となる。
【図面の簡単な説明】
【図１】この発明の実施の形態１によるアダプティブアレイ端末の構成を示す機能ブロック図である。
【図２】この発明の実施の形態１によるアダプティブアレイ端末のアンテナ相関値の表示方法の例を示す模式図である。
【図３】この発明の実施の形態１によるアダプティブアレイ端末の動作を示すフロー図である。
【図４】この発明の実施の形態２によるアダプティブアレイ端末の構成を示す機能ブロック図である。
【図５】この発明の実施の形態２によるアダプティブアレイ端末の動作を示すフロー図である。
【符号の説明】
１，２  ＲＦ受信回路、３  信号処理部、４  復調部、５，１０  主制御部、７  入力部、８  アンテナ相関推定部、９  アンテナ駆動制御部、ＡＮＴ＃１，ＡＮＴ＃２  アンテナ。
【図１】
2004254111.tif 000003
【図２】
2004254111.tif 000004
【図３】
2004254111.tif 000005
【図４】
2004254111.tif 000006
【図５】
2004254111.tif 000007